(57)【要約】【課題】庫本体の背面を流下する水による設置床面の汚損、腐食の不具合の発生を回避できる冷蔵庫を提供する。【解決手段】庫本体１の背面を流下する水を結合具３５の溝部３５ｂ（水受け部）で受けて排出し、この排出された水を蒸発皿３８（受け器）で受けることにより、庫本体１の背面を流下する水が、冷蔵庫を設置した部屋の床面に滴下するのを避けることができて、その床面の汚損、更には腐食の不具合の発生を防止できるようにした。【選択図】図１
2015227740.tif 000002
【特許請求の範囲】
【請求項１】
内部に貯蔵室を有する庫本体と、
この庫本体に前記貯蔵室を冷却するように設けられた冷却装置と、
前記庫本体の背面を流下する水を受けて排出するように設けられた水受け部と、
この水受け部から排出された水を受ける受け器とを具備して成る冷蔵庫。
【請求項２】
前記受け器が、前記冷却装置の除霜をすることによりにより生じた水を蒸発させる蒸発皿である請求項１記載の冷蔵庫。
【請求項３】
前記受け器が、前記庫本体の機械部品を配置する機械室の台板である請求項１記載の冷蔵庫。
【請求項４】
前記水受け部から排出された水を前記受け器へ導く導水手段を有する請求項１から３のいずれか一項記載の冷蔵庫。
【請求項５】
前記導水手段が、前記冷却装置の除霜により生じた水を前記蒸発皿へ導く導水部材である請求項４記載の冷蔵庫。
【請求項６】
前記庫本体の背壁に真空断熱材を使用する請求項１から５のいずれか一項記載の冷蔵庫。
【請求項７】
前記真空断熱材の左右方向の幅寸法よりも前記水受け部の左右方向の幅寸法が大きい請求項６記載の冷蔵庫。
【発明の詳細な説明】
【技術分野】
【０００１】
本発明の実施形態は冷蔵庫に関する。
【背景技術】
【０００２】
従来より、冷蔵庫においては、内部に冷蔵室や冷凍室といった貯蔵室を有する庫本体に冷却装置が設けられ、この冷却装置により上記貯蔵室の冷却を行うようになっている。
特に近年の冷蔵庫においては、前記庫本体の断熱周壁に真空断熱パネルを単独で、あるいは発泡断熱材と併せて使用したものがあり、その真空断熱パネルの断熱性能の高さから庫本体の断熱周壁の厚さを低減し、上記貯蔵室の容積の拡大が図られている（例えば特許文献１参照）。
【先行技術文献】
【特許文献】
【０００３】
【特許文献１】特開２０１４−６０３９号公報
【発明の概要】
【発明が解決しようとする課題】
【０００４】
冷蔵庫を設置して使用する状況下においては、例えば設置した部屋の湿度が高くなったときに庫本体の背面に結露を生じることがあり、もしくは庫本体に水がかかったときには水が付着し、それらによって庫本体の背面を水が流下することがある。この庫本体の背面を流下する水が、冷蔵庫を設置した部屋の床面に滴下するようであると、当該床面が汚損されるだけでなく腐食を招来するおそれすらある。
特に上述の庫本体の断熱周壁に真空断熱パネルを使用したものでは、当該真空断熱パネルが破損したときに、庫内貯蔵室の冷気により庫本体の背面に結露を生じることがあって、庫本体の背面を水が流下し、床面の汚損、腐食を招来するおそれが多分にある。
【０００５】
そこで、庫本体の背面を流下する水による設置床面の汚損、腐食の不具合の発生を回避できる冷蔵庫を提供する。
【課題を解決するための手段】
【０００６】
本実施形態の冷蔵庫は、内部に貯蔵室を有する庫本体と、この庫本体に前記貯蔵室を冷却するように設けられた冷却装置と、前記庫本体の背面を流下する水を受けて排出するように設けられた水受け部と、この水受け部から排出された水を受ける受け器とを具備して成ることを特徴とする。
【図面の簡単な説明】
【０００７】
【図１】第１の実施形態を示す機械室部分のやゝ下方からの斜視図
【図２】冷蔵庫全体の縦断側面図
【図３】図１のIII−III線に沿う機械室部分の縦断側面図
【図４】機械室部分の破断斜視図
【図５】図４のV部分の拡大破断斜視図
【図６】図１のVI−VI線に沿う機械室部分の横断面図
【図７】図３のVII部分の拡大縦断側面図
【発明を実施するための形態】
【０００８】
以下、一実施形態につき、図面を参照して説明する。
まず、図２には冷蔵庫の全体を縦断面で右側面より見て示している。この図で明らかなように、庫本体１は全体として縦長の筐体から成るものであり、その周壁は、外箱２と内箱３並びにこれら両箱間に充填した断熱材４から成るもので、その断熱材４は、背壁で例示するように真空断熱パネル４ａ単独で、あるいは天井壁と底壁で例示すように真空断熱パネル４ａと発泡断熱材４ｂとで、それぞれ成っている。
【０００９】
上記庫本体１の内部は、最上部が冷蔵室５、その下方が野菜室６、その下方が製氷室７、更にその下方が冷凍室８の、各貯蔵室となっており、この各貯蔵室はいずれも前面が開口し、その各開口部を個々の扉９〜１２で開閉するようにしている。
冷蔵室５の扉９の裏側にはポケット１３を複数段設けており、冷蔵室５には棚１４を同じく複数段設け、最下部にチルド容器１５を引出し可能に設けている。
【００１０】
野菜室６には、野菜容器１６を、詳しくは図示しないが野菜室６の扉１０の開閉と共に出し入れされるように設けている。
製氷室７には、製氷皿１７ａと、この製氷皿１７ａから氷を剥離させる離氷駆動部１７ｂ、剥離された氷を貯留する貯氷容器１７ｃ、及び貯氷容器１７ｃに貯留した氷の量（嵩）を検知する貯氷検知レバー１７ｄから成る製氷機構１７を設けており、貯氷容器１７ｃは、これも詳しくは図示しないが製氷室７の扉１１の開閉と共に出し入れされるように設けている。
【００１１】
冷凍室８には、上下二つの冷凍貯蔵容器１８，１９を、これも詳しくは図示しないが冷凍室８の扉１２の開閉と共に出し入れされるように設けている。
なお、野菜室６と製氷室７との間は断熱仕切壁２０で仕切っているが、野菜室６と冷蔵室５との間並びに製氷室７と冷凍室８との間はともに仕切っていない。
【００１２】
冷蔵室５のチルド容器１５収納部分の奥部には、冷蔵用冷却器室２１を隔壁２２で隔てて設けており、この冷蔵用冷却器室２１に冷蔵用冷却器２３と冷蔵用ファン２４とを配置している。
又、製氷室７から冷凍室８にかけての奥部には、冷凍用冷却器室２５を隔壁２６で隔てて設けており、この冷凍用冷却器室２５に冷凍用冷却器２７と冷凍用ファン２８とを配置している。
【００１３】
これらの冷却器２３，２７は、庫本体１外の後下部に設けた機械室２９に配置した圧縮機３０や、図２には図示しない凝縮器、及び絞り器であるキャピラリチューブ等とで周知の冷凍サイクルを構成するもので、圧縮機３０が作動することにより、図示しない冷媒が圧縮機３０から、凝縮器、キャピラリチューブ、冷却器２３，２７、そして又圧縮機３０の順に流れて循環されるようになっている。
【００１４】
冷蔵用冷却器２３と冷蔵用ファン２４は、冷気を生成して該冷気を図に矢印で示すように流すことにより、冷蔵室５と野菜室６とを冷却する冷却装置として機能するものであり、冷凍用冷却器２７と冷凍用ファン２８は、同じく冷気を生成して該冷気を図に矢印で示すように流すことにより、製氷室７と冷凍室８とを冷却する冷却装置として機能するものである。
【００１５】
次いで、図１及び図３には前記機械室２９を示している。これらの図で明らかなように、機械室２９は前記庫本体１における外箱２の底板２ａの後部を横長の四角筒形にくぼませて形成したものであり、この機械室２９の底部を底板２ａに結合した台板３１でそれと成し、この台板３１上（機械室２９内）に、前記圧縮機３０のほか、該圧縮機３０を冷却するファン３２、該ファン３２を囲繞して固定するファン固定具３３、前記冷凍サイクルの凝縮器３４など、前記庫本体１の機械部品をほゞ横並び状に配置している。なお、図１は前記庫本体１をやゝ前倒し（後上げ）にした状態で示している。
【００１６】
機械室２９の後上縁部には、図４及び図５に示すように、前記底板２ａと前記外箱２の背板２ｂとを結合する結合具３５を設けている。この結合具３５は前記底板２ａと背板２ｂの横幅全長に共通にわたる長尺状のもので、下縁部に、前記底板２ａのＬ字状に折曲した後縁部２ａ１を載置して結合する結合部３５ａを有し、上縁部に、背板２ｂのクランク状に折曲した下縁部２ｂ１を差し込む溝部３５ｂを有すると共に、その差し込んだ背板２ｂの下縁部２ｂ１を溝部３５ｂの対向部分とで挟持する複数のリブ３５ｃを有している。
【００１７】
なお、結合具３５の溝部３５ｂに上記背板２ｂの下縁部２ｂ１を差し込んでリブ３５ｃにより挟持した状態で、溝部３５ｂは背板２ｂの下縁部２ｂ１より上方の主体部分よりもやゝ後外方にまで膨出して位置している。
この溝部３５ｂは、庫本体１の背壁に配設した真空断熱パネル４ａの下端部よりも下方に位置するものであり、その左右方向の幅寸法は同真空断熱パネル４ｂの左右方向の幅寸法よりも大きく設けている。
【００１８】
又、図４及び図５には、機械室２９の背面の開放部を閉塞した閉塞板３６をも示しており、結合具３５にはこの閉塞板３６の上縁部をも図示しない複数のねじ等によって取外し可能に結合して、結合具３５の上縁部以外のほとんどの部分をこの閉塞板３６で覆い隠している。
なお、図４では、圧縮機３０の内部構造を斜線で省略して示している。
【００１９】
結合具３５のほゞ中央部には、図３にも示すように、上記溝部３５ｂに連通する通水口３５ｄを形成しており、更に、その通水口３５ｄに連通する通水溝３５ｅを下方へ延ばして形成し、その最下端部に通水溝３５ｅに連通する排水口３５ｆを前方へ指向させて形成している。
【００２０】
そして、排水口３５ｆの下方（機械室２９内の前記圧縮機３０の上方部）には、水受け具３７に形成した延長部３７ａの先端部を配置している。水受け具３７は、本来、前記冷蔵用冷却器２３並びに前記冷凍用冷却器２７に付着する霜を溶解させて取除く除霜をしたときに生じる水（いわゆる除霜水）を受けるものであり、図６には、そのうちの冷蔵用冷却器２３からの水を受ける部分をＷｒで、冷凍用冷却器２７からの水を受ける部分をＷｆで示している。
【００２１】
なお、冷蔵用冷却器２３の除霜は、例えば冷蔵用冷却器２３への冷媒の供給を停止して冷蔵用ファン２４のみを運転することによる送風で行い、冷凍用冷却器２７の除霜は、該冷凍用冷却器２７に付設した図示しない除霜ヒータを発熱させることで行うようになっている。
【００２２】
水受け具３７には、一方側（この場合、ファン３２側）の端部に、排水筒部３７ｂを図１に示すよう下方へ延ばして形成しており、その下端部を蒸発皿３８に臨ませている。蒸発皿３８は、前記ファン３２及びファン固定具３３並びに凝縮器３４の下方に位置させて前記台板３１上（機械室２９内）に配置しており、上記水受け具３７を通じて受けた水を、もっぱら圧縮機３０や凝縮器３４が発する熱による機械室２９内の間接熱（例えば４０〔℃〕程度）や、蒸発皿３８に添えた凝縮器３４の一部による直接熱によって蒸発させるものである。
【００２３】
前記水受け具３７の延長部３７ａは、水受け具３７の中央部付近から後方に延長させたものであり、その先端部の直上に、図３及び図７に示すように、前記結合具３５の最下端部が位置し、前記排水口３５ｆが臨んでいる。
【００２４】
次に、上記構成の冷蔵庫の作用を述べる。
既述のように、冷蔵庫を設置して使用する状況下においては、例えば設置した部屋の湿度が高くなったときに庫本体の背面に結露を生じることがあり、もしくは庫本体に水がかかったときには水が付着し、それらによって庫本体の背面を水が流下することがある。特に本実施形態のように庫本体１の断熱周壁に真空断熱パネル４ａを使用したものでは、当該真空断熱パネル４ａが破損したときに、庫内貯蔵室の冷気により庫本体１の背面に結露を生じることがあって、その場合、庫本体１の背面を水が流下する。
【００２５】
このように流下する水に対して、本実施形態の冷蔵庫においては、流下した水を庫本体１背面の結合具３５が溝部３５ｂで受け、通水口３５ｄから通水溝３５ｅを通じて排水口３５ｆから水受け具３７の延長部３７ａ上に落とす。この水受け具３７の延長部３７ａ上に落とされた水は、その後、水受け具３７の延長部３７ａ上から排水筒部３７ｂを経て蒸発皿３８上に落ちる。そして、その蒸発皿３８上で、機械室２９内の間接熱や凝縮器３４の一部による直接熱を受けて蒸発される。
【００２６】
従って、結合具３５の溝部３５ｂは、庫本体１の背面を流下する水を受けて排出する水受け部として機能するものであり、蒸発皿３８は水受け部から排出された水を受ける受け器として機能するものであって、水受け具３７は水受け部から排出された水を受け器へ導く導水手段として機能するものであり、その導水手段は冷却装置の除霜により生じた水を蒸発皿３８へ導く導水部材なのである。
【００２７】
このようにして本実施形態においては、庫本体１の背面を流下する水が、冷蔵庫を設置した部屋の床面に滴下するのを避けることができるもので、それにより、その床面の汚損、更には腐食の不具合の発生を防止することができる。
【００２８】
又、本実施形態においては、蒸発皿３８を、結合具３５の溝部３５ｂ（水受け部）で受けて排出された水を受ける受け器としており、その受け器として冷却装置である冷蔵用冷却器２３並びに前記冷凍用冷却器２７の除霜をすることによりにより生じた水を蒸発させる蒸発皿３８を利用できることにより、別途受け器を必要とせず、合理的な構成で、上記冷蔵庫を設置した部屋の床面の汚損、腐食の不具合の発生を防止することができる。
【００２９】
なお、この結合具３５の溝部３５ｂで受けて排出された水を受ける受け器としては、庫本体１の圧縮機３０を始めとした機械部品を配置した機械室２９の台板３１であっても良いもので、このようにしても、その台板３１を利用する合理的な構成で、上記冷蔵庫を設置した部屋の床面の汚損、腐食の不具合の発生を防止することができる。
【００３０】
加えて、本実施形態においては、結合具３５の溝部３５ｂ（水受け部）で受けて排出された水を受け器へ導く導水手段を有しており、それによって、水受け部から排出された水を確実に受け器へ導くことができ、上記冷蔵庫を設置した部屋の床面の汚損、腐食の不具合の発生をより確実に防止することができる。
【００３１】
更に、本実施形態においては、上記導水手段を、前記冷却装置の除霜により生じた水を蒸発皿３８へ導く導水部材である水受け具３７としており、それによって、その水受け具３７を利用する合理的な構成で、上記冷蔵庫を設置した部屋の床面の汚損、腐食の不具合の発生のより確実な防止ができる。
【００３２】
本実施形態は、庫本体１の周壁を背壁全体にわたり真空断熱パネル４ａ単独で成す場合を例に説明を行ったが、温度領域に応じて断熱材４の構成を変更しても良い。すなわち、製氷室７や冷凍室８の冷凍温度帯の背面投影領域に真空断熱パネル４ａと発泡断熱材４ｂとの両方を使用し、冷凍温度帯に比べて目標温度が高い冷蔵室５や野菜室６の冷蔵温度帯の背面投影領域は真空断熱パネル４ａ単独で構成するなどしても良い。これによれば、真空断熱パネル４ａが破損したときであっても、発泡断熱材４ｂによる断熱効果により、真空断熱パネル４ａ単独で構成する場合に比べて結露の発生を抑制することができる。
【００３３】
又、本実施形態は、機械室２９内に圧縮機３０を配設する場合を例として説明を行ったが、庫本体１の上面後部に空間を設けて圧縮機３０を配設するなどしても良い。この場合、水受け部から排出された水を受ける受け器を圧縮機３０の寸法などによる制約を受けることなく設置することができる。
【００３４】
更に、本実施形態は、機械室２９内の蒸発皿３８あるいは台板３１を受け器としているが、これらに限られず、機械室２９外に結露水を受ける受け器を別に具えても良い。この場合、受け器を庫本体１から着脱可能に構成することで、使用者は受け器に溜まった水を確認するとともに、受け器ごと取外して水を処理することができ、使用性を良くできる。
【００３５】
以上、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３６】
図面中、１は庫本体、５は冷蔵室（貯蔵室）、６は野菜室（貯蔵室）、７は製氷室（貯蔵室）、８は冷凍室（貯蔵室）、２３は冷蔵用冷却器（冷却装置）、２７は冷凍用冷却器（冷却装置）、３１は機械室の台板（受け器）、３５ｂは結合具の溝部（水受け部）、３７は水受け具（導水手段、導水部材）、３８は蒸発皿（受け器）を示す。
【図１】
2015227740.tif 000003
【図２】
2015227740.tif 000004
【図３】
2015227740.tif 000005
【図４】
2015227740.tif 000006
【図５】
2015227740.tif 000007
【図６】
2015227740.tif 000008
【図７】
2015227740.tif 000009